(57)【特許請求の範囲】
【請求項１】
板状の被加工物が貼着された状態で拡張された後に環状のフレームに貼り付けて固定され、該フレームに沿って切断されるエキスパンドシートであって、
該フレームの大きさより大きい基材と、
該基材上に形成され、該被加工物が貼着される第１貼着領域と、
該基材上に形成され、該第１貼着領域を囲繞し、該フレームが貼着される第２貼着領域と、を有し、
該第２貼着領域は、その外側の縁が該フレームの内側の縁より外側に位置し、且つ、該フレームの外側の縁より内側に位置するように、該拡張による変形が考慮された形状及び大きさを有し、
該第２貼着領域の粘着力は、該第１貼着領域の粘着力よりも強いことを特徴とするエキスパンドシート。
【発明の詳細な説明】
【技術分野】
【０００１】
本発明は、板状の被加工物に貼り付けた状態で拡張されるエキスパンドシートに関する。
【背景技術】
【０００２】
半導体ウェーハに代表される板状の被加工物を複数のチップへと分割するために、被加工物の内部にレーザービームを集光して分割の起点となる改質層（改質領域）を形成し、その後、分割に必要な力を加える加工方法が実用化されている（例えば、特許文献１参照）。この加工方法では、例えば、被加工物に貼り付けたエキスパンドシートを拡張することで、被加工物に力を加えて複数のチップへと分割する。
【０００３】
また、被加工物を研削又は研磨する際に加わる力を利用して、改質層が形成された被加工物を複数のチップへと分割する加工方法も知られている（例えば、特許文献２参照）。この加工方法で被加工物を複数のチップへと分割した後には、被加工物に貼り付けたエキスパンドシートを拡張して隣接するチップの間隔を拡げる。これにより、後にチップを取り扱う際のチップ同士の接触等に起因する破損を防止できる。
【０００４】
エキスパンドシートを拡張する際には、２種類のテーブルを備えた拡張装置を用いることがある（例えば、特許文献３参照）。この拡張装置は、エキスパンドシートの外周部を固定する環状のテーブルに対して、被加工物を支持する中央のテーブルを相対的に上昇させることで、エキスパンドシートを押し上げるようにして拡張する。よって、この拡張装置を用いると、エキスパンドシートは放射状に拡張されることになる。
【０００５】
近年では、エキスパンドシートを所定の向きに拡張できる拡張装置も提案されている（例えば、特許文献４参照）。この拡張装置は、エキスパンドシートに概ね平行な第１方向で被加工物を挟むように配置される第１保持ユニット及び第２保持ユニットと、第１方向に垂直な第２方向で被加工物を挟むように配置される第３保持ユニット及び第４保持ユニットと、を備えている。
【０００６】
第１保持ユニットと第２保持ユニットとは、互いに離れる向きに移動できるように構成され、第３保持ユニットと第４保持ユニットとは、互いに離れる向きに移動できるように構成される。各保持ユニットでエキスパンドテープの４つの領域を保持した上で、第１保持ユニットと第２保持ユニットとを互いに離れる向きに移動させ、第３保持ユニットと第４保持ユニットとを互いに離れる向きに移動させれば、エキスパンドシートを第１方向及び第２方向に拡張できる。
【先行技術文献】
【特許文献】
【０００７】
【特許文献１】特開２００２−１９２３７０号公報
【特許文献２】国際公開第２００３／７７２９５号
【特許文献３】特開２０１１−７７４８２号公報
【特許文献４】特開２０１４−２２３８２号公報
【発明の概要】
【発明が解決しようとする課題】
【０００８】
ところで、上述したエキスパンドシートには、通常、拡張前又は拡張後のいずれかのタイミングで、被加工物を囲む環状のフレームが貼り付けられる。しかしながら、エキスパンドシートを拡張する前にフレームを貼り付ける場合には、拡張時に作用する力でフレームからエキスパンドシートが剥がれてしまうことがある。一方で、エキスパンドシートを拡張した後にフレームを貼り付ける場合には、エキスパンドシートの拡張に起因する粘着力の低下によってフレームを適切に貼り付けられない可能性があった。
【０００９】
本発明はかかる問題点に鑑みてなされたものであり、その目的とするところは、環状のフレームに対して適切に接着できるエキスパンドシートを提供することである。
【課題を解決するための手段】
【００１０】
本発明の一態様によれば、板状の被加工物が貼着された状態で拡張された後に環状のフレームに貼り付けて固定され、該フレームに沿って切断されるエキスパンドシートであって、該フレームの大きさより大きい基材と、該基材上に形成され、該被加工物が貼着される第１貼着領域と、該基材上に形成され、該第１貼着領域を囲繞し、該フレームが貼着される第２貼着領域と、を有し、該第２貼着領域は、その外側の縁が該フレームの内側の縁より外側に位置し、且つ、該フレームの外側の縁より内側に位置するように、該拡張による変形が考慮された形状及び大きさを有し、該第２貼着領域の粘着力は、該第１貼着領域の粘着力よりも強いことを特徴とするエキスパンドシートが提供される。
【発明の効果】
【００１１】
本発明の一態様に係るエキスパンドシートでは、被加工物が貼着される第１貼着領域の粘着力よりも環状のフレームが貼着される第２貼着領域の粘着力が強いので、環状のフレームに対してエキスパンドシートを強い力で接着できる。このように、本発明の一態様によれば、環状のフレームに対して適切に接着できるエキスパンドシートが提供される。
【図面の簡単な説明】
【００１２】
【図１】エキスパンドシートの構成例を模式的に示す斜視図である。
【図２】エキスパンドシートの構成例を模式的に示す断面図である。
【図３】エキスパンドシートが拡張装置によって保持される様子を模式的に示す斜視図である。
【図４】エキスパンドシートが拡張装置によって拡張される様子を模式的に示す斜視図である。
【図５】エキスパンドシートに環状のフレームが貼り付けられる様子を模式的に示す斜視図である。
【図６】環状のフレームに沿ってエキスパンドシートが切断された状態を模式的に示す斜視図である。
【図７】図７（Ａ）及び図７（Ｂ）は、エキスパンドシートが拡張装置によって拡張される様子を模式的に示す断面図である。
【図８】第１変形例に係るエキスパンドシートの構成例を模式的に示す断面図である。
【図９】第２変形例に係るエキスパンドシートの構成例を模式的に示す断面図である。
【発明を実施するための形態】
【００１３】
添付図面を参照して、本発明の一態様に係る実施形態について説明する。図１は、本実施形態に係るエキスパンドシートの構成例を模式的に示す斜視図であり、図２は、エキスパンドシートの構成例を模式的に示す断面図である。なお、図１では、エキスパンドシートに貼り付ける被加工物及び環状のフレームを併せて示しており、図２では、エキスパンドシートの断面と共に、被加工物及び環状のフレームに対する平面的な位置関係を示している。
【００１４】
図１及び図２に示すように、本実施形態のエキスパンドシート１は、シート状の基材３と、基材３の第１面（上面）３ａ側に設けられた粘着力（接着力）のある糊層（粘着層、接着層）５と、を含んでいる。基材３は、例えば、ポリオレフィンや塩化ビニル等の樹脂を用いて帯状に形成される。ただし、後述する拡張装置を用いて適切に拡張できるのであれば、基材３の形状、材質等に制限はない。
【００１５】
一方で、糊層５は、例えば、アクリル系やゴム系の粘着剤で形成される。この糊層５は、基材３の第１面３ａの全体に設けられる第１糊層５ａと、第１糊層５ａに重ねて配置される環状の第２糊層５ｂと、を含んでいる。第２糊層５ｂには、例えば、第１糊層５ａよりも粘着力の強い材料が用いられる。
【００１６】
第２糊層５ｂで囲まれる第１糊層５ａによって、板状の被加工物１１を貼り付ける概ね円形の第１貼着領域Ａ１が形成され、第２糊層５ｂによって、環状のフレーム２１を貼り付ける環状の第２貼着領域Ａ２が形成される。上述のように、第２糊層５ｂの粘着力は第１糊層５ａの粘着力より強いので、第２糊層５ｂでなる第２貼着領域Ａ２の粘着力も、第１糊層５ａでなる第１貼着領域Ａ１の粘着力より強くなる。
【００１７】
第１貼着領域Ａ１の大きさ（例えば、直径）は、被加工物１１の大きさ（例えば、直径）より大きく、フレーム２１の中央に形成された開口部の大きさ（例えば、直径）より小さい。よって、被加工物１１及びフレーム２１をエキスパンドシート１に貼り付けると、第２糊層５ｂの内側の縁は、被加工物１１の縁より外側、かつ、フレーム２１の内側の縁より内側に位置することになる。
【００１８】
例えば、第１貼着領域Ａ１の直径は、被加工物１１の直径より２０ｍｍ以上大きいことが望ましい。この場合、被加工物１１を貼り付ける際の位置ずれによる貼り付け不良の発生等を適切に防止できる。
【００１９】
一方で、第２貼着領域Ａ２の外側の縁は、フレーム２１の内側の縁より外側に位置していれば良い。本実施形態では、第２貼着領域Ａ２の外側の縁がフレーム２１の外側の縁より僅かに内側に位置しているが、例えば、第２貼着領域Ａ２の外側の縁がフレーム２１の外側の縁より外側に位置していても良い。
【００２０】
例えば、第２糊層５ｂの内径（内側の直径）を、被加工物１１の直径より大きく、フレーム２１の内径より小さくすることで、上述のような第１貼着領域Ａ１と第２貼着領域Ａ２との位置関係を実現できる。エキスパンドシート１は、例えば、図１に示すように、糊層５側にセパレータフィルム７を貼り付けた状態で円筒状に巻回される。
【００２１】
次に、このエキスパンドシート１を使用する加工方法（エキスパンドシート１の使用方法）の一例について説明する。本実施形態に係る加工方法では、まず、エキスパンドシート１に板状の被加工物１１を貼り付けた上で、このエキスパンドシート１を拡張装置によって保持する。図３は、エキスパンドシート１が拡張装置によって保持される様子を模式的に示す斜視図である。
【００２２】
被加工物１１は、例えば、シリコン等の半導体でなる円形のウェーハであり、その第１面（表面）１１ａ側は、中央のデバイス領域と、デバイス領域を囲む外周余剰領域とに分けられている。デバイス領域は、格子状に配列された分割予定ライン（ストリート）で更に複数の領域に区画されており、各領域には、ＩＣ、ＬＳＩ等のデバイス１３が形成されている。
【００２３】
被加工物１１の内部には、例えば、分割の起点となる改質層（図３等において不図示）が分割予定ラインに沿って形成されている。この改質層は、被加工物１１に吸収され難い波長のレーザービームを、分割予定ラインに沿って集光する方法で形成できる。なお、改質層の代わりに、切削やレーザーアブレーション等の方法で形成される溝等を分割の起点として用いることもできる。
【００２４】
エキスパンドシート１に板状の被加工物１１を貼り付ける際には、例えば、この被加工物１１の第２面（裏面）１１ｂ側をエキスパンドシート１の第１貼着領域Ａ１（第２糊層５ｂで囲まれる第１糊層５ａ）に密着させる。なお、本実施形態では、シリコン等の半導体でなる円形のウェーハを被加工物１１として用いるが、被加工物１１の材質、形状、構造等に制限はない。
【００２５】
例えば、セラミック、樹脂、金属等の材料でなる基板を被加工物１１として用いることもできる。また、複数のチップに分割された後のウェーハや基板等を被加工物１１として用いても良い。この場合には、エキスパンドシート１を拡張することによって、被加工物１１内で隣接するチップ間の間隔を拡げる加工が施されることになる。
【００２６】
図３に示すように、拡張装置２は、エキスパンドシート１に概ね平行な第１方向Ｄ１で被加工物１１を挟むように配置される第１保持ユニット（第１保持手段）４と第２保持ユニット（第２保持手段）６とを備えている。また、拡張装置２は、エキスパンドシート１に概ね平行且つ第１方向Ｄ１に垂直な第２方向Ｄ２で被加工物１１を挟むように配置される第３保持ユニット（第３保持手段）８と第４保持ユニット（第４保持手段）１０とを備えている。
【００２７】
第１保持ユニット４と第２保持ユニット６とは、それぞれ、水平移動機構（不図示）によって支持されており、互いに離れる向きに移動できる。同様に、第３保持ユニット８と第４保持ユニット１０とは、それぞれ、水平移動機構（不図示）によって支持されており、互いに離れる向きに移動できる。
【００２８】
第１保持ユニット４、第２保持ユニット６、第３保持ユニット８、及び第４保持ユニット１０は、それぞれ、エキスパンドシート１の上方（糊層５側）に配置される上側支持部材１２と、エキスパンドシート１の下方（基材３の第２面（下面）３ｂ側）に配置される下側支持部材１４と、を含む。上側支持部材１２及び下側支持部材１４は、いずれも所定の方向に伸長する棒状に形成されている。上側支持部材１２及び下側支持部材１４の伸長方向の長さは、いずれも被加工物１１の直径より長くなっている。
【００２９】
第１保持ユニット４及び第２保持ユニット６が備える上側支持部材１２及び下側支持部材１４は、第２方向Ｄ２に伸長している。一方、第３保持ユニット８及び第４保持ユニット１０が備える上側支持部材１２及び下側支持部材１４は、第１方向Ｄ１に伸長している。
【００３０】
各上側支持部材１２の下方側、及び各下側支持部材１４の上方側には、複数の接触部材１６が取り付けられている。複数の接触部材１６は、いずれも円柱状に形成されており、エキスパンドシート１に接触した状態で回転できる。第１保持ユニット４及び第２保持ユニット６が備える複数の接触部材１６の回転軸は、いずれも第１方向Ｄ１に平行であり、第３保持ユニット８及び第４保持ユニット１０が備える複数の接触部材１６の回転軸は、いずれも第２方向Ｄ２に平行である。
【００３１】
エキスパンドシート１を保持する際には、図３に示すように、各保持ユニットの上側支持部材１２と下側支持部材１４とで、エキスパンドシート１の第２貼着領域Ａ２より外側の領域を上下に挟み込む。すなわち、第２貼着領域Ａ２の周りの４つの領域を、第１保持ユニット４、第２保持ユニット６、第３保持ユニット８、及び第４保持ユニット１０で保持して、各領域に複数の接触部材１６を接触させる。
【００３２】
エキスパンドシート１を拡張装置２によって保持した後には、エキスパンドシート１を拡張する。図４は、エキスパンドシート１が拡張装置２によって拡張される様子を模式的に示す斜視図である。エキスパンドシート１を拡張する際には、第１保持ユニット４及び第２保持ユニット６を支持する水平移動機構を作動させて、第１保持ユニット４と第２保持ユニット６とを互いに離れる向きに移動させる。
【００３３】
また、第３保持ユニット８及び第４保持ユニット１０を支持する水平移動機構を作動させて、第３保持ユニット８と第４保持ユニット１０とを互いに離れる向きに移動させる。これにより、図４に示すように、エキスパンドシート１を第１方向Ｄ１及び第２方向Ｄ２に拡張させて、第１方向Ｄ１及び第２方向Ｄ２に沿う向きの力を被加工物１１に付与できる。
【００３４】
上述のように、第１方向Ｄ１で互いに離れる向きに移動する第１保持ユニット４及び第２保持ユニット６には、第１方向Ｄ１に平行な回転軸の周りに回転する複数の接触部材１６が設けられている。また、第２方向Ｄ２で互いに離れる向きに移動する第３保持ユニット８及び第４保持ユニット１０には、第２方向Ｄ２に平行な回転軸の周りに回転する複数の接触部材１６が設けられている。
【００３５】
そのため、エキスパンドシート１は、第１保持ユニット４及び第２保持ユニット６により、第２方向Ｄ２に沿って移動できるように保持され、第３保持ユニット８及び第４保持ユニット１０により、第１方向Ｄ１に沿って移動できるように保持される。すなわち、第１保持ユニット４と第２保持ユニット６とで保持される領域を、第２方向Ｄ２において適切に拡張でき、第３保持ユニット８と第４保持ユニット１０とで保持される領域を、第１方向Ｄ１において適切に拡張できる。
【００３６】
エキスパンドシート１の拡張によって、第１方向Ｄ１及び第２方向Ｄ２に沿う向きの力が被加工物１１に付与されると、被加工物１１は、改質層が形成された分割予定ラインに沿って複数のチップへと分割され、更に、隣接するチップ同士の間隔が拡げられる。なお、被加工物１１を適切に分割し、チップ同士の間隔を十分に拡げるためには、各分割予定ラインの配列する方向（各分割予定ラインに垂直な方向）を第１方向Ｄ１又は第２方向Ｄ２に一致させて、拡張によって発生する力を効率良く利用することが望ましい。
【００３７】
エキスパンドシート１を拡張した後には、エキスパンドシート１に環状のフレーム２１を貼り付けて固定する。図５は、エキスパンドシート１に環状のフレーム２１が貼り付けられる様子を模式的に示す斜視図である。エキスパンドシート１に環状のフレーム２１を貼り付ける際には、例えば、図５に示すように、環状のフレーム２１をエキスパンドシート１の第２貼着領域Ａ２（第２糊層５ｂ）に密着させる。
【００３８】
これにより、環状のフレーム２１をエキスパンドシート１に貼り付けて固定できる。本実施形態では、エキスパンドシート１を拡張した状態で、被加工物１１を囲むように環状のフレーム２１を固定するので、エキスパンドシート１の拡張を解除した後にも、チップ同士の間隔は拡がった状態に保たれる。
【００３９】
また、本実施形態では、第１貼着領域Ａ１の粘着力より第２貼着領域Ａ２の粘着力が強いので、エキスパンドシート１を拡張した状態でも、第２貼着領域Ａ２による十分な粘着力が得られる。そのため、エキスパンドシート１の拡張によって第２貼着領域Ａ２の粘着力が僅かに低下しても、第２貼着領域Ａ２に対して環状のフレーム２１を適切に貼り付けることができる。
【００４０】
なお、本実施形態のように、エキスパンドシート１を拡張した後に環状のフレーム２１を貼り付ける場合には、拡張による変形等を考慮して第２貼着領域Ａ２の形状、大きさ等を調整しておくことが望ましい。これにより、拡張後の第２貼着領域Ａ２に環状のフレーム２１を適切に貼り付けることができる。
【００４１】
エキスパンドシート１に環状のフレーム２１を貼り付けて固定した後には、この環状のフレーム２１に沿ってエキスパンドシート１を切断する。図６は、環状のフレーム２１に沿ってエキスパンドシート１が切断された状態を模式的に示す斜視図である。エキスパンドシート１は、例えば、基材３の第２面３ｂ側からフレーム２１に沿って切断される。これにより、被加工物１１、フレーム２１、及び切断されたエキスパンドシート１からなるフレームユニットが完成する。
【００４２】
以上のように、本実施形態に係るエキスパンドシート１では、被加工物１１が貼り付けられる第１貼着領域Ａ１の粘着力よりも環状のフレーム２１が貼り付けられる第２貼着領域Ａ２の粘着力が強いので、環状のフレーム２１に対してエキスパンドシート１を強い力で接着できる。
【００４３】
なお、本発明は上記実施形態の記載に限定されず、種々変更して実施可能である。例えば、上記実施形態では、第１方向Ｄ１及び第２方向Ｄ２にエキスパンドシート１を拡張する拡張装置２を用いた加工方法（使用方法）の一例について説明したが、他の拡張装置を用いてエキスパンドシート１を拡張することもできる。図７（Ａ）及び図７（Ｂ）は、エキスパンドシート１が別の拡張装置によって拡張される様子を模式的に示す断面図である。なお、上記実施形態中の構成等と共通する構成等には、同じ符号を付して詳細な説明を省略する。
【００４４】
図７（Ａ）及び図７（Ｂ）に示すように、拡張装置２２は、被加工物１１を支持する支持構造２４と、被加工物１１に貼り付けられたエキスパンドシート１を拡張する円筒状の拡張ドラム２６とを備えている。例えば、拡張ドラム２６の内径は、被加工物１１の直径より大きく、拡張ドラム２６の外径は、エキスパンドシート１に貼り付けられる環状のフレーム２１の内径より小さい。
【００４５】
支持構造２４は、環状のフレーム２１を支持するフレーム支持テーブル２８を含む。このフレーム支持テーブル２８の上面は、エキスパンドシート１に固定された環状のフレーム２１を支持する支持面となっている。フレーム支持テーブル２８の外周部分には、環状のフレーム２１を固定するための複数のクランプ３０が設けられている。
【００４６】
支持構造２４の下方には、昇降機構３２が設けられている。昇降機構３２は、下方の基台（不図示）に固定されたシリンダケース３４と、シリンダケース３４に挿入されたピストンロッド３６とを備えている。ピストンロッド３６の上端部には、フレーム支持テーブル２８が固定されている。この昇降機構３２は、拡張ドラム２６の上端に等しい高さの基準位置と、拡張ドラム２６の上端より下方の拡張位置との間でフレーム支持テーブル２８の上面（支持面）が移動するように、支持構造２４を昇降させる。
【００４７】
拡張装置２２でエキスパンドシート１を拡張する際には、まず、エキスパンドシート１に被加工物１１及び環状のフレーム２１を貼り付けてフレームユニットを形成する。すなわち、被加工物１１の第２面（裏面）１１ｂ側をエキスパンドシート１の第１貼着領域Ａ１（第２糊層５ｂで囲まれる第１糊層５ａ）に密着させ、環状のフレーム２１をエキスパンドシート１の第２貼着領域Ａ２（第２糊層５ｂ）に密着させる。また、この環状のフレーム２１に沿ってエキスパンドシート１を切断する。
【００４８】
被加工物１１及び環状のフレーム２１をエキスパンドシート１に固定してフレームユニットを形成した後には、エキスパンドシート１を含むフレームユニットを拡張装置２２によって保持する。具体的には、図７（Ａ）に示すように、基準位置に移動させたフレーム支持テーブル２８の上面にフレームユニットを構成する環状のフレーム２１を載せ、この環状のフレーム２１をクランプ３０で固定する。これにより、拡張ドラム２６の上端は、被加工物１１と環状のフレーム２１との間でエキスパンドシート１に接触する。
【００４９】
エキスパンドシート１を含むフレームユニットを拡張装置２２によって保持した後には、エキスパンドシート１を拡張する。具体的には、昇降機構３２で支持構造２４を下降させて、図７（Ｂ）に示すように、フレーム支持テーブル２８の上面を拡張ドラム２６の上端より下方の拡張位置に移動させる。その結果、拡張ドラム２６はフレーム支持テーブル２８に対して上昇し、エキスパンドシート１は拡張ドラム２６で押し上げられるようにして放射状に拡張される。
【００５０】
エキスパンドシート１が拡張されると、被加工物１１にはエキスパンドシート１を拡張する方向の力（放射状の力）が付与される。これにより、被加工物１１は、改質層１５（図７（Ａ））を起点に複数のチップへと分割され、更に、隣接するチップ同士の間隔が拡げられる。
【００５１】
また、上記実施形態では、粘着力の異なる第１糊層５ａと第２糊層５ｂとを備えるエキスパンドシート１について説明したが、本発明のエキスパンドシートはこれに限定されない。図８は、第１変形例に係るエキスパンドシートの構成例を模式的に示す断面図であり、図９は、第２変形例に係るエキスパンドシートの構成例を模式的に示す断面図である。なお、上記実施形態中の構成等と共通する構成等には、同じ符号を付して詳細な説明を省略する。
【００５２】
図８に示すように、第１変形例に係るエキスパンドシート３１では、基材３の第１面３ａの概ね全体に設けられる第１糊層５ｃに環状の第２糊層５ｄが埋め込まれており、第１糊層５ｃの上面と第２糊層５ｄの上面とが面一になっている。第２糊層５ｄには、例えば、第１糊層５ｃよりも粘着力の強い材料が用いられる。その他の条件等は、上記実施形態と同じで良い。
【００５３】
一方、図９に示すように、第２変形例に係るエキスパンドシート４１は、基材３の第１面３ａの全体に設けられる第１糊層５ｅと、第１糊層５ｅに重ねて配置される環状の第２糊層５ｆと、を含んでいる。第１糊層５ａと第２糊層５ｂとは、例えば、同じ粘着力の材料で構成されるが、第１貼着領域Ａ１よりも第２貼着領域Ａ２で糊層５が厚くなるので、第２貼着領域Ａ２の粘着力は、第１貼着領域Ａ１の粘着力より強くなる。
【００５４】
また、上記実施形態では、ロール状に巻回された帯状のエキスパンドシート１について説明しているが、本発明のエキスパンドシートは、被加工物１１や環状のフレーム２１の大きさに合わせて短くカットされていても良い。
【００５５】
その他、上記実施形態に係る構造、方法等は、本発明の目的の範囲を逸脱しない限りにおいて適宜変更して実施できる。
【符号の説明】
【００５６】
１  エキスパンドシート
３  基材
３ａ  第１面（上面）
３ｂ  第２面（下面）
５  糊層（粘着層、接着層）
５ａ，５ｃ，５ｅ  第１糊層
５ｂ，５ｄ，５ｆ  第２糊層
７  セパレータフィルム
１１  被加工物
１１ａ  第１面（表面）
１１ｂ  第２面（裏面）
１３  デバイス
１５  改質層
２１  フレーム
３１  エキスパンドシート
４１  エキスパンドシート
２  拡張装置
４  第１保持ユニット（第１保持手段）
６  第２保持ユニット（第２保持手段）
８  第３保持ユニット（第３保持手段）
１０  第４保持ユニット（第４保持手段）
１２  上側支持部材
１４  下側支持部材
１６  接触部材
２２  拡張装置
２４  支持構造
２６  拡張ドラム
２８  フレーム支持テーブル
３０  クランプ
３２  昇降機構
３４  シリンダケース
３６  ピストンロッド
Ａ１  第１貼着領域
Ａ２  第２貼着領域
Ｄ１  第１方向
Ｄ２  第２方向
【図１】
0006723643.tif 000002
【図２】
0006723643.tif 000003
【図３】
0006723643.tif 000004
【図４】
0006723643.tif 000005
【図５】
0006723643.tif 000006
【図６】
0006723643.tif 000007
【図７】
0006723643.tif 000008
【図８】
0006723643.tif 000009
【図９】
0006723643.tif 000010